(57)【要約】【課題】スライドショーの任意の画像を簡単に表示できるようにするデータ記録プログラム及び記録装置の提供。【解決手段】コンピュータを、複数の画像データに基づいて、画像データ毎又は所定数の画像データ群毎に各々の画像がスライドショーの設定条件で表示される動画データを生成し、複数の動画データに基づいて各々の動画データがタイトルで分割された家電機器用データを生成、又は、複数の画像データに基づいて動画データを生成し、該動画データに基づいて家電機器用データを生成し、データ構成又はスライドショーの設定条件を参照して画像データ毎又は所定数の画像データ群毎の先頭位置にチャプターが設定された家電機器用データを生成するデータ生成手段、少なくとも家電機器用データを記録媒体に記録させる記録制御手段として機能させる。これにより任意の画像を表示させることができる。【選択図】図８
2006086803.tif 000002
【特許請求の範囲】
【請求項１】
コンピュータを、
複数の画像データに基づいて、前記画像データ毎又は所定数の画像データ群毎に、各々の前記画像データに基づく画像がスライドショーの設定条件で表示される特定のファイル形式の動画データを生成し、複数の前記動画データに基づいて、各々の前記動画データがタイトルで分割された特定種類のデータを生成するデータ生成手段、
記録手段に、少なくとも前記特定種類のデータと前記複数の画像データとを記録媒体に記録させる記録制御手段、として機能させることを特徴とする記録プログラム。
【請求項２】
コンピュータを、
複数の画像データに基づいて、各々の前記画像データに基づく画像がスライドショーの設定条件で表示される特定のファイル形式の動画データを生成し、前記動画データに基づいて特定種類のデータを生成し、前記特定種類のデータのデータ構成又は前記スライドショーの設定条件を参照して、前記画像データ毎又は所定数の画像データ群毎の先頭位置にチャプターを設定するデータ生成手段、
記録手段に、少なくとも前記特定種類のデータと前記複数の画像データとを記録媒体に記録させる記録制御手段、として機能させることを特徴とする記録プログラム。
【請求項３】
前記画像データに動画データを含み、前記データ生成手段は、該動画データを前記特定のファイル形式に変換することを特徴とする請求項１又は２に記載の記録プログラム。
【請求項４】
前記特定のファイル形式の動画データはＭＰＥＧ１形式又はＭＰＥＧ２形式のデータであり、前記特定種類のデータはＤＶＤ−Ｖｉｄｅｏ形式のデータであることを特徴とする請求項１乃至３のいずれか一に記載の記録プログラム。
【請求項５】
複数の画像データを読み取るデータ読み取り手段と、
複数の前記画像データに基づいて、前記画像データ毎又は所定数の画像データ群毎に、各々の前記画像データに基づく画像がスライドショーの設定条件で表示される特定のファイル形式の動画データを生成し、複数の前記動画データに基づいて、各々の前記動画データがタイトルで分割された特定種類のデータを生成するデータ生成手段と、
記録手段に、少なくとも前記特定種類のデータと前記複数の画像データとを記録媒体に記録させる記録制御手段、として機能させる記録制御手段と、を少なくとも備えることを特徴とする記録装置。
【請求項６】
複数の画像データを読み取るデータ読み取り手段と、
複数の前記画像データに基づいて、各々の前記画像データに基づく画像がスライドショーの設定条件で表示される特定のファイル形式の動画データを生成し、前記動画データに基づいて特定種類のデータを生成し、前記特定種類のデータのデータ構成又は前記スライドショーの設定条件を参照して、前記画像データ毎又は所定数の画像データ群毎の先頭位置にチャプターを設定するデータ生成手段と、
記録手段に、少なくとも前記特定種類のデータと前記複数の画像データとを記録媒体に記録させる記録制御手段、として機能させる記録制御手段と、を少なくとも備えることを特徴とする記録装置。
【請求項７】
前記画像データに動画データを含み、前記データ生成手段は、該動画データを前記特定のファイル形式に変換することを特徴とする請求項５又は６に記載の記録装置。
【請求項８】
前記特定のファイル形式の動画データはＭＰＥＧ１形式又はＭＰＥＧ２形式のデータであり、前記特定種類のデータはＤＶＤ−Ｖｉｄｅｏ形式のデータであることを特徴とする請求項５乃至７のいずれか一に記載の記録装置。
【発明の詳細な説明】
【技術分野】
【０００１】
本発明は、記録プログラム及び記録装置に関し、特に、画像データから家電機器で再生可能なデータを生成して記録媒体に記録する記録プログラム及び記録装置に関する。
【背景技術】
【０００２】
近年、写真画像に関する様々なサービスが提供されている。例えば、フィルムカメラで写真を撮影した場合、ミニラボ等の写真店やコンビニエンスストア等の注文店に撮影済みのネガフィルムを持ち込むと、写真店ではネガフィルムを現像した後、写真画像をスキャナ等で読み取り、読み取った画像データをＣＤ−Ｒ、ＤＶＤ−Ｒ等の記録媒体に書き込んでユーザに提供するといったサービスが行われている。
【０００３】
また、デジタルカメラで写真を撮影した場合、デジタルカメラやデジタルカメラ用メディアをミニラボ等の写真店に持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込むこともできる（上記無人端末に関しては、例えば、下記特許文献１参照）。
【０００４】
また、ネガフィルムから読み取った画像データやデジタルカメラ、メディアから読み取った画像データを単に記録媒体に記録するのではなく、これらの画像データからスライドショーとして表示される動画データを生成し、該動画データからＤＶＤプレーヤやＤＶＤレコーダ、ＨＤＤレコーダ、ゲーム機などの家電機器で再生可能なデータ（以下、家電機器用データと呼ぶ。）を生成し、該データを画像データと共にＣＤ−ＲやＤＶＤ−Ｒなどの記録媒体に書き込むサービスも行われている。
【０００５】
また、読み取った画像データから家電機器用データを生成したり、画像データや家電機器用データを記録媒体に書き込むためのアプリケーションを提供するサービスもあり、該アプリケーションを自宅のパーソナルコンピュータなどのコンピュータ機器にインストールすることにより、写真店などに出向かなくても自宅でデジタルカメラやメディアから読み取った画像データや生成した家電機器用データを記録媒体に書き込むこともできる。
【０００６】
【特許文献１】特開平１１−８８１７号公報（第３−４頁、第１図）
【発明の開示】
【発明が解決しようとする課題】
【０００７】
上記家電機器用データは、複数の画像データに基づく画像が順次又は所定のスライド効果で切り替わる一連の動画として記録されるため、記録媒体を家電機器に装填すれば、特別な操作をすることなく画像を順番に閲覧することができ、機械操作に不慣れなユーザにとっては便利である。しかしながら、複数の画像データを一連の動画として記録する方法では、例えば、スライドショーの後ろの方に記録された画像を閲覧したい場合でも、その前に記録された画像を表示させなければならないという不便さがある。
【０００８】
すなわち、記録媒体に記録された画像データを電子アルバムとしてコンピュータ機器で閲覧する場合は任意の画像を簡単に表示させることができるのに対して、スライドショーの動画データを家電機器で再生する場合は、予め定められた順番でしか画像を表示させることができないため、任意の画像を簡単に表示させることができないという問題がある。
【０００９】
本発明は、上記問題点に鑑みてなされたものであって、その主たる目的は、スライドショーの任意の画像を簡単に表示できるように家電機器用データを生成して記録媒体に記録する記録プログラム及び記録装置を提供することにある。
【課題を解決するための手段】
【００１０】
上記目的を達成するため、本発明の記録プログラムは、コンピュータを、複数の画像データに基づいて、前記画像データ毎又は所定数の画像データ群毎に、各々の前記画像データに基づく画像がスライドショーの設定条件で表示される特定のファイル形式の動画データを生成し、複数の前記動画データに基づいて、各々の前記動画データがタイトルで分割された特定種類のデータを生成するデータ生成手段、記録手段に、少なくとも前記特定種類のデータと前記複数の画像データとを記録媒体に記録させる記録制御手段、として機能させるものである。
【００１１】
また、本発明の記録プログラムは、コンピュータを、複数の画像データに基づいて、各々の前記画像データに基づく画像がスライドショーの設定条件で表示される特定のファイル形式の動画データを生成し、前記動画データに基づいて特定種類のデータを生成し、前記特定種類のデータのデータ構成又は前記スライドショーの設定条件を参照して、前記画像データ毎又は所定数の画像データ群毎の先頭位置にチャプターを設定するデータ生成手段、記録手段に、少なくとも前記特定種類のデータと前記複数の画像データとを記録媒体に記録させる記録制御手段、として機能させるものである。
【００１２】
本発明においては、前記画像データに動画データを含み、前記データ生成手段は、該動画データを前記特定のファイル形式に変換する構成とすることができる。
【００１３】
また、本発明においては、前記特定のファイル形式の動画データをＭＰＥＧ１形式又はＭＰＥＧ２形式のデータとし、前記特定種類のデータをＤＶＤ−Ｖｉｄｅｏ形式のデータとすることができる。
【００１４】
また、本発明の記録装置は、複数の画像データを読み取るデータ読み取り手段と、複数の前記画像データに基づいて、前記画像データ毎又は所定数の画像データ群毎に、各々の前記画像データに基づく画像がスライドショーの設定条件で表示される特定のファイル形式の動画データを生成し、複数の前記動画データに基づいて、各々の前記動画データがタイトルで分割された特定種類のデータを生成するデータ生成手段と、記録手段に、少なくとも前記特定種類のデータと前記複数の画像データとを記録媒体に記録させる記録制御手段、として機能させる記録制御手段と、を少なくとも備えるものである。
【００１５】
また、本発明の記録装置は、複数の画像データを読み取るデータ読み取り手段と、複数の前記画像データに基づいて、各々の前記画像データに基づく画像がスライドショーの設定条件で表示される特定のファイル形式の動画データを生成し、前記動画データに基づいて特定種類のデータを生成し、前記特定種類のデータのデータ構成又は前記スライドショーの設定条件を参照して、前記画像データ毎又は所定数の画像データ群毎の先頭位置にチャプターを設定するデータ生成手段と、記録手段に、少なくとも前記特定種類のデータと前記複数の画像データとを記録媒体に記録させる記録制御手段、として機能させる記録制御手段と、を少なくとも備えるものである。
【００１６】
このように、本発明の構成によれば、記録媒体には、画像データ毎又は所定数の画像データ群毎にタイトル分割又はチャプターが設定された特定種類のデータが記録されるため、ユーザはＤＶＤプレーヤなどの家電機器を用いて画像を表示させる場合に、タイトルメニュー画面で所望の画像を表示させたり、チャプター機能を用いて所望の画像を表示させることができる。
【発明の効果】
【００１７】
本発明の記録プログラム及び記録装置によれば、ＤＶＤプレーヤなどの家電機器を用いて複数の画像データに基づく画像がスライド表示されるスライドショーを実行する際に、所望の画像を簡単に表示させることができる。
【００１８】
その理由は、記録プログラムは、複数の画像データに基づいてＤＶＤ−Ｖｉｄｅｏ形式などの家電機器用データを生成する際に、画像データ毎又は所定数の画像データ群毎に、各々の画像データに基づく画像がスライドショーの設定条件で表示される特定のファイル形式の動画データを生成し、この複数の動画データに基づいて、各々の動画データが別々のタイトルとして分割された家電機器用データを生成したり、複数の画像データに基づいて特定のファイル形式の動画データを生成し、この動画データに基づいて家電機器用データを生成し、家電機器用データのデータ構成又はスライドショーの設定条件を参照して、画像データ毎又は所定数の画像データ群毎の先頭位置にチャプターを設定し、生成された家電機器用データと元の画像データとを記録媒体に記録する処理を行うため、ユーザはタイトルメニュー画面で所望の画像に対応するタイトルを選択したり、チャプター機能を用いて画像をスキップさせることができ、これにより任意の画像を表示させることができるからである。
【発明を実施するための最良の形態】
【００１９】
本発明の記録プログラムは、その好ましい一実施の形態において、コンピュータを、複数の画像データ（静止画像データ又は静止画像データ及び動画データ）に基づいて、画像データ毎又は所定数の画像データ群毎に、各々の画像データに基づく画像がスライドショーの設定条件で表示される特定のファイル形式の動画データを生成し、該複数の動画データに基づいて、各々の動画データがタイトルで分割されたＤＶＤ−Ｖｉｄｅｏ形式などの家電機器用データを生成、又は、複数の画像データに基づいて特定のファイル形式の動画データを生成し、該動画データに基づいて家電機器用データを生成し、家電機器用データのデータ構成又はスライドショーの設定条件を参照して、画像データ毎又は所定数の画像データ群毎の先頭位置にチャプターを設定するデータ生成手段、記録手段に、少なくとも生成された家電機器用データと元の画像データとを記録媒体に記録させる記録制御手段として機能させる。これにより、ユーザはタイトルメニュー画面で所望の画像に対応するタイトルを選択したり、チャプター機能を用いて画像をスキップさせることができ、任意の画像を表示させることができる。
【実施例１】
【００２０】
次に、本発明の第１の実施例に係る記録プログラム及び記録装置について、図１乃至図１３を参照して説明する。図１は、本実施例に係る記録装置の外観構成を模式的に示す図であり、図２乃至図５は、そのバリエーションを示す図、図６は、記録装置の手段を示すブロック図である。また、図７は、記録装置を用いたデータの記録手順を示すフローチャート図であり、図８は、家電機器用データの作成手順を模式的に示す図である。また、図９は、記録媒体におけるデータの記録構造を示す図、図１０は、記録媒体におけるデータの記録領域を示す図、図１１は、記録媒体（ＣＤ−Ｒ）の構造を模式的に示す図である。また、図１２は、記録装置の表示手段に表示される画面の構成例を示す図であり、図１３は、家電機器の表示手段に表示される画面の構成例を示す図である。
【００２１】
図１に示すように、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１１を介してサーバ１２に接続するネットワーク接続部、各種データを記録する記録媒体９を装填する記録媒体装填部４、ボタン、キーボード、マウス等の操作手段６及びＬＣＤ、ＣＲＴ等の表示手段５とを備え、上記記録媒体９がパーソナルコンピュータや次世代ＰＣなどのコンピュータ機器１７やＤＶＤプレーヤＤＶＤレコーダ、ＨＤＤレコーダ、ゲーム機などの家電機器１８で利用される。
【００２２】
また、記録装置１に備える主な手段をブロック図で示すと図６のようになり、メディア装填部２や機器接続部３、ネットワーク接続部などを用いて所定の記録手段から画像データ（静止画像データ又は静止画像データ及び動画データ）を読み取るデータ読み取り手段１３と、メディア８などから読み取った複数の画像データに基づいて、画像データ毎又は所定数の画像データ群毎に、各々の画像データに基づく画像がスライドショーの設定条件で表示される特定のファイル形式（例えば、ＭＰＥＧ１形式又はＭＰＥＧ２形式）の動画データを生成し、複数の動画データに基づいて、各々の動画データが別のタイトルとして分割された、家電機器１８で利用可能なファイル形式（例えば、Ｖｉｄｅｏ−ＣＤ形式、ＤＶＤ−Ｖｉｄｅｏ形式、ＨＤＴＶ形式など）のデータ（以下、家電機器用データと呼ぶ。）を生成するデータ生成手段１４と、記録媒体装填部４などの記録手段に、生成された家電機器用データと必要に応じて読み取った画像データなどとを記録媒体９に記録させる制御を行う記録制御手段１５と、スライドショーの表示などを行う表示手段５と、画像データや音楽データの選択などを行う操作手段６とを備えている。
【００２３】
なお、上記各手段は記録装置１にハードウェアとして構成されていてもよいし、コンピュータを、少なくとも、データ生成手段１４、記録制御手段１５として機能させる記録プログラムとして構成し、該記録プログラムを記録装置１にインストールして実行する構成とすることができる。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、演算処理機能を備えたカーナビゲーション機器などとすることもできる。
【００２４】
次に、上記構成の記録装置１（記録プログラム）を用いて、記録媒体９に各種データを記録する手順について、図７のフローチャート図を参照して説明する。なお、以下のステップで表示される画面は例示であり、必要に応じて構成を変更したり省略することもできる。
【００２５】
まず、本実施例の記録装置１を起動すると、表示手段５にメニュー画面が表示され、ステップＳ１０１で、新しい記録媒体９の作成を指示すると、表示手段５に記録媒体９に各種データを記録するまでの手順が表示された画面や画像データの読み取り先を選択する画面が表示される。そして、所望の読み取り先を選択すると、表示手段５に、例えばメディア８をメディア装填部２に装填、又はデジタルカメラ７を機器接続部３に接続するように促すメッセージが表示される。
【００２６】
次に、ステップＳ１０２で、メッセージの指示に従って、例えば記録装置１のメディア装填部２にメディア８を装填、又は機器接続部３にデジタルカメラ７を接続すると、ステップＳ１０３で、データ読み取り手段１３は、メディア８やデジタルカメラ７などに記録された複数の画像データ（静止画像データ又は静止画像データ及び動画データ）を読み取る。
【００２７】
ここで、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や記録装置１のハードディスク、通信ネットワーク１１を介して接続されるサーバ１２などであってもよい。また、画像データのファイル形式も任意であり、例えば、静止画像データとして、デジタルカメラ７で撮像して得られたままの撮像画像データであるＲＡＷ形式、デジタルカメラ７固有の形式、ｅｘｉｆ（Exchangeable Image File Format）形式、ｂｍｐ（Windows（登録商標） Bitmapfile）形式、ｇｉｆ（CompuServe Graphics Interchange Format File）形式、ｔｉｆ（Tagget Image File Format file）形式、ｊｐｅｇ（Joint Photographic Coding Experts Group）形式などとしてもよく、動画データとして、ＡＶＩ（Audio Video Interleaving）形式、ＭＯＶ形式、ＭＰＥＧ（Moving Picture Experts Group）１、２、４、７形式、ＷＭＶ（Windows（登録商標） Media Video）形式などとしてもよい。
【００２８】
そして、画像データの読み取りが終了すると、表示手段５に、例えば図１２に示すような画像選択画面１９が表示される。この画像選択画面１９には、読み取った画像データに基づく画像を一覧表示する一覧表示欄２０と、その中から選択した画像を拡大表示する拡大表示欄２１と、作業を選択する作業メニュー欄２２とが設けられており、ステップＳ１０４で、一覧表示欄２０で選択した画像を拡大表示欄２１で回転するなどして画像データを選択した後、必要に応じて、作業メニュー欄２２を操作して所定の画面を表示させ、画像の順番を変えたり、タイトルを入力したり、フォトフレームを作成したり、画像に文字を合成させたり、ＢＧＭとして再生する音楽データを選択したり、スライドショーの確認などの処理を行う。
【００２９】
次に、家電機器用データを生成する前段階として、複数の画像データに基づいて動画データを生成（エンコード）するが、本実施例では所望の画像を任意に表示させることができるように、ステップＳ１０５で、データ生成手段１４を用いて、複数の画像データに基づいて、画像データ毎又は所定数（例えば、２つ）の画像データ群毎に（すなわち、画像データの数量又は画像データ群の数量分の）動画データを生成する。
【００３０】
具体的には、例えば、図８（ａ）に示すように、読み取った画像データの中に静止画像データ（画像１、２、４）と動画データ（画像３）とが混在している場合を例にして説明すると、図８（ｂ）に示すように、各々の静止画像データに対して、スライド間隔分の差分データ（画像を順次切り替える場合は差分０のデータ、画像をスライド効果に基づいて切り替える場合はスライド効果に基づく差分が記録されたデータ）を付加し、１つの静止画像データと付加される差分データとを１つの単位としてＭＰＥＧ１形式又はＭＰＥＧ２形式の動画データを生成する。また、読み取った画像データ中の動画データのファイル形式がＭＯＶ形式、ＷＭＶ形式又はＡＶＩ形式の場合には、動画データのファイル形式をＭＰＥＧ１形式又はＭＰＥＧ２形式に変換する。なお、図８では画像データ毎に動画データを生成しているが、画像データの数量が多くなるとＤＶＤ−Ｖｉｄｅｏ形式のデータのタイトルの数量も多くなり、これらのタイトルを１つのタイトルセットの中に格納できなくなるなどの不都合が生じる場合もある。そのような場合には、画像データを所定数（例えば、２つ）でセットにして画像データ群毎に動画データを生成してもよい。
【００３１】
次に、ステップＳ１０６で、画像データ毎又は画像データ群毎に生成された複数の動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。その際、ＤＶＤ−Ｖｉｄｅｏ形式のデータを生成する場合は、図８（ｃ）に示すように、各々の動画データを１つのタイトルのデータ（VTS_**_*.VOB）とし、複数のタイトルでビデオタイトルセット（ＶＴＳ）を構成し、各々のタイトルの動画データの先頭に位置する画像を抽出してビデオマネージャ（ＶＭＧ）のファイル（VIDEO_TS.IFO）やビデオタイトルセットのファイル（VTS_**_0.IFO）に登録する。なお、１つのタイトルセットに包含できるタイトルの数は９９に限定されているため、規定数以上の動画データが生成されている場合は、１つのタイトルセットに格納できない動画データを他のタイトルセットに振り分けたり、動画データを複数のタイトルセットに均等に振り分けるなどの操作を行ってもよい。
【００３２】
次に、作業メニュー欄２２の”メディアに書き込む”を選択すると、表示手段５に記録媒体９を記録媒体装填部４に装填するように促すメッセージが表示され、ステップＳ１０７で、該メッセージに従って記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。
【００３３】
この記録媒体９は任意の記録媒体とすることができるが、特定の記録媒体９に対してのみデータの記録が行われるようにしてもよく、その場合は、ステップＳ１０８で記録媒体９の所定の領域に記録媒体９を識別するための識別情報が記録されているか否かを調べる構成としてもよい。この識別情報の内容は限定されず、記録媒体９の製造者に対応するコード（製造者コード、通称Ｍコード）や記録媒体９の規格に対応するコード（タイプコード、通称Ｔコード）などとすることができる。また、上記識別情報は適正な記録媒体に対してデータを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３４】
ここで、一般的な記録媒体９の構造について、図１１を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３５】
次に、記録媒体９に生成した家電機器用データや元の画像データを記録するが、家電機器１８ではデータを読み込むことができる記録領域が限定されるため、ステップＳ１０９で、記録制御手段１５を用いて、生成した家電機器用データを記録媒体９の論理アドレス領域の内側に記録する。なお、この論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ）情報の領域は含まない領域である。
【００３６】
次に、必要に応じてセッションをクローズした後、ステップＳ１１０で、記録制御手段１５を用いて、必要に応じて、元の画像データや縮小画像データ、音楽データ、スライドショープログラムなどのアプリケーション、スライドショーの設定ファイル、情報ファイル、自動起動ファイルなどを先に記録された家電機器用データの外側に記録して一連の書き込み処理を終了する。
【００３７】
上記手順で作成された記録媒体９は、例えば、図１０に示すように各種データが記録され、ディスク型記録媒体９の最内周の論理アドレス領域外（上記論理アドレス領域以外の領域であって論理アドレス領域よりも内周側に位置する領域）には必要に応じて所定の識別情報が記録され、その外周に位置する論理アドレス領域の内周側の領域には家電機器用データが記録され、更に家電機器用データの外周側の領域には必要に応じて元の画像データなどが記録される。
【００３８】
また、上記手順で作成された記録媒体９（ＤＶＤ−Ｒ）のディレクトリ構造は、例えば、図９に示すようになり、”PS_Roll”フォルダ内に格納された画像データや音楽データ、縮小画像データ、”APPL”フォルダ内に格納されたスライドショープログラムやスライドショーの再生指示情報（Slidesetting.ini）、記録媒体９に関する各種情報が記述された情報ファイル（index.pvm）や自動起動ファイル（Autrun.inf）などでコンピュータ機器用データが構成され、また、”VIDEO_TS”フォルダ内のビデオマネージャ（ＶＭＧ）とビデオタイトルセット（ＶＴＳ）とで家電機器用データ（ＤＶＤ−Ｖｉｄｅｏデータ）が構成される。具体的には、ＶＭＧは、ビデオ全体を制御するための情報が記録されたVIDEO_TS.IFO、そのバックアップファイルであるVIDEO_TS.BUP、タイトル選択メニューのためのVIDEO_TS.VOBファイルで構成され、ＶＴＳは、ＶＴＳ全体を制御する情報が記述されたVTS_**_0.IFO、そのバックアップファイルであるVTS_**_0.BUP、ＶＴＳの各タイトルの動画データであるVTS_**_*.VOBなどで構成される。
【００３９】
なお、画像データや音楽データのディレクトリ構造は任意であるが、画像データや音楽データをコンピュータ機器などにバックアップした場合における管理を容易にするために、例えば、図９に示すように、画像データの格納場所を示すフォルダ（PS_Roll）の下位の階層にメディア８毎、機器毎、フィルム毎のデータの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々のデータをCCYYMMDDxxxxxx（CC：データの種別、YYMMDD：書き込み年月日を特定する数字、xxxxxx：シーケンシャル番号）などにリネームしてもよい。
【００４０】
そして、ステップＳ１１１で、この記録媒体９（ＤＶＤ−Ｒ）を家電機器１８にセットすると、例えば図１３に示すように、各々のタイトルを構成する動画データの先頭に対応する位置から抽出された画像が一覧表示されたタイトルメニュー画面２３が表示され、ユーザがタイトルメニュー画面２３の中から所望の画像を選択すると、選択した画像から順にスライドショーが再生される。また、スライドショーの再生中に家電機器１８を操作してタイトルメニュー画面２３を表示させて画像を選択すれば、同様に所望の画像を表示させることができる。
【００４１】
このように、本実施例では、画像データ毎又は画像データ群毎にＭＰＥＧ１形式又はＭＰＥＧ２形式の複数の動画データが生成され、複数の動画データに基づいて、各々の動画データを１つのタイトルデータとする家電機器用データが生成されて記録媒体９に記録されるため、タイトルメニュー画面２３でタイトルを選択することにより所望の画像を簡単に表示させることができ、従来のスライドショーのように所望の画像を表示させるために待つ必要がなくなり、ユーザの利便性を格段に向上させることができる。
【実施例２】
【００４２】
次に、本発明の第２の実施例に係る記録プログラム及び記録装置について、図１４乃至図１６を参照して説明する。図１４は、記録装置を用いたデータの記録手順を示すフローチャート図であり、図１５は、家電機器用データの作成手順を模式的に示す図である。また、図１６は、記録媒体におけるデータの記録構造を示す図である。
【００４３】
前記した第１の実施例では、画像データ毎又は画像データ群毎に複数の動画データを生成し、複数の動画データに基づいて、各々の動画データがタイトルで分割された家電機器用データを生成することによって画像を選択して表示できるようにしたが、ＤＶＤ−Ｖｉｄｅｏ形式のデータの場合、チャプター機能を用いることによっても同様に画像を選択して表示させることが可能である。その場合の手順について、図１４のフローチャート図を参照して説明する。
【００４４】
まず、第１の実施例と同様に、記録装置１を起動すると、表示手段５にメニュー画面が表示され、ステップＳ２０１で、新しい記録媒体９の作成を指示すると、表示手段５に作業手順画面や読み取り先選択画面が表示され、所望の読み取り先を選択すると、表示手段５に、例えばメディア８をメディア装填部２に装填、又はデジタルカメラ７を機器接続部３に接続するように促すメッセージが表示される。
【００４５】
次に、ステップＳ２０２で、メッセージの指示に従って、例えば記録装置１のメディア装填部２にメディア８を装填、又は機器接続部３にデジタルカメラ７を接続すると、ステップＳ２０３で、データ読み取り手段１３は、メディア８やデジタルカメラ７などに記録された画像データ（静止画像データ又は静止画像データ及び動画データ）を読み取る。なお、本実施例においても、読み取る画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよいし、読み取り先もＣＤ−ＲやＤＶＤ−Ｒなどの記録媒体や記録装置１のハードディスク、通信ネットワーク１１を介して接続されるサーバ１２などとしてもよい。
【００４６】
そして、画像データの読み取りが終了すると、表示手段５に図１３に示すような画像選択画面１９が表示され、ステップＳ２０４で、一覧表示欄２０で選択した画像を拡大表示欄２１で回転するなどして画像データを選択した後、必要に応じて、作業メニュー欄２２を操作して所定の画面を表示させ、画像の順番を変えたり、タイトルを入力したり、フォトフレームを作成したり、画像に文字を合成させたり、ＢＧＭとして再生する音楽データを選択したり、スライドショーの確認などの処理を行う。
【００４７】
次に、ステップＳ２０５で、データ生成手段１４は、複数の画像データに基づいて１つの動画データを生成する。具体的には、例えば、図１５（ａ）に示すように、読み取った画像データの中に静止画像データ（画像１、２、４）と動画データ（画像３）とが混在している場合を例にして説明すると、図１５（ｂ）に示すように、静止画像データに対しては、各々の画像を順次表示する場合はスライド間隔分の差分０のデータを付加、所定のスライド効果で画像を表示する場合はスライド効果に基づく差分データを付加し、また、動画データに対しては必要に応じてファイル形式を変換して、ＭＰＥＧ１形式又はＭＰＥＧ２形式の１つの動画データを生成する。
【００４８】
次に、ステップＳ２０６で、図１５（ｃ）に示すように、１つの動画データに基づいて、家電機器で再生可能な形式の家電機器用データ（ここではＤＶＤ−Ｖｉｄｅｏ形式のデータ）を生成する。なお、図１５では、複数の動画データから１つのタイトルのＤＶＤ−Ｖｉｄｅｏデータを生成しているが、１つのタイトルの動画データの容量は約１ＧＢに制限されているため、複数の動画データの総容量が１ＧＢを超える場合は、複数の動画データを複数のタイトルに分割してＤＶＤ−Ｖｉｄｅｏ形式のデータを生成してもよい。
【００４９】
その際、この状態では複数の画像データは１つの動画として連続して再生されてしまうため、ステップＳ２０７で、画像データ又は所定数の画像データ群毎の先頭位置にチャプター（パートオブタイトル：ＰＴＴとも呼ぶ。）を設定し、このチャプターの情報をビデオマネージャ（ＶＭＧ）のVIDEO_TS.IFOファイルやビデオタイトルセット（ＶＴＳ）のVTS_**_0.IFOファイルなどに登録する。
【００５０】
このチャプター位置の特定方法としては、家電機器用データ自体からチャプター位置を検出する方法と、チャプター情報が記録されるファイルに予め特定されるチャプター位置の情報を書き込む方法とがある。前者の方法としては、例えば、画像データの繋ぎ目ではデータの構成が大きく変化する（すなわち、差分データと次の画像データとではデータの構成が大きく異なる）ことから、家電機器用データの動画データ（VTS_**_*.VOBファイル）の中身を調べ、データが大きく変化する位置にチャプターを設定することにより画像データ又は所定数の画像データ群毎の先頭位置にチャプターを設定することができる。また、例えば、ステップＳ２０５で画像データから動画データを生成する際に、ある画像データの最後の差分データと次の画像データとの間にチャプター位置を特定するためのチャプター位置特定データを付加しておき、このチャプター位置特定データの後ろにチャプターを設定することにより画像データ又は所定数の画像データ群毎の先頭位置にチャプターを設定することができる。また、後者の方法として、例えば、各々の画像の表示時間（スライド間隔）が一定の場合は、表示時間毎にチャプターを設定すればよいため、チャプター情報が記録されるファイル（例えば、ＶＭＧのVIDEO_TS.IFOやＶＴＳのVTS_**_0.IFO）にチャプターの位置情報を書き込むことにより画像データ又は所定数の画像データ群毎の先頭位置にチャプターを設定することができる。なお、１つのＤＶＤ−Ｖｉｄｅｏデータに対して設定できるチャプターの数は９９に限定されているため、画像データの数が１００以上の場合は、９９番目の動画データまでチャプターを設定して残りの動画データにはチャプターを設定しないようにしてもよいし、所定数（例えば２つ）の画像データ毎にチャプターを設定してもよい。
【００５１】
次に、作業メニュー欄２５の”メディアに書き込む”を選択すると、表示手段５に記録媒体９を記録媒体装填部４に装填するように促すメッセージが表示され、ステップＳ２０８で、該メッセージに従って記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスクなどの記録媒体９を装填する。
【００５２】
次に、必要に応じて、ステップＳ２０９で記録媒体９の所定の領域に記録媒体９を識別するための識別情報が記録されているか否かを調べ、識別情報が記録されている場合は、ステップＳ２１０で、記録制御手段１５を用いて、生成した家電機器用データを記録媒体９の論理アドレス領域の内側に記録する。
【００５３】
次に、必要に応じてセッションをクローズした後、ステップＳ２１１で、記録制御手段１５を用いて、必要に応じて、元の画像データや縮小画像データ、音楽データ、スライドショープログラムなどのアプリケーション、スライドショーの設定ファイル、情報ファイル、自動起動ファイルなどを先に記録されたＶｉｄｅｏ−ＣＤ形式などの家電機器用データの外側に記録して一連の書き込み処理を終了する。
【００５４】
上記手順で作成された記録媒体９（ＤＶＤ−Ｒ）のディレクトリ構造は、例えば、図１６に示すようになり、第１の実施例と同様にコンピュータ機器用データが構成され、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）とで家電機器用データ（ＤＶＤ−Ｖｉｄｅｏデータ）が構成される。
【００５５】
そして、ステップＳ２１２で、この記録媒体９を家電機器１８にセットすると複数の画像データに基づく画像がスライドショーとして表示され、任意の画像が表示されている時に家電機器１８を操作（スキップボタンを押す）と、次の画像（又は前の画像）を自在に表示させることができる。
【００５６】
このように、本実施例では、複数の画像データからＭＰＥＧ１形式又はＭＰＥＧ２形式の動画データが生成され、該動画データからＤＶＤ−Ｖｉｄｅｏ形式のデータが生成され、該データのデータ構成又はスライドショーの設定条件を参照して、画像データ毎又は所定数の画像データ群毎の先頭位置にチャプターが設定されて記録媒体に記録されるため、スキップボタンなどで次の画像（又は前の画像）を表示させることができ、従来のスライドショーのように所望の画像を表示させるために待つ必要がなくなり、ユーザの利便性を格段に向上させることができる。
【００５７】
なお、上記各実施例では、画像データからＤＶＤ−Ｖｉｄｅｏ形式のデータを生成する場合について主に説明したが、本発明は上記実施例に限定されるものではなく、例えば、画像データからＶｉｄｅｏ−ＣＤ形式又はＨＤＴＶ形式のデータを生成する場合や、音楽データからＤＶＤ−Ａｕｄｉｏ形式のデータを生成する場合などについても同様に適用することができる。
【図面の簡単な説明】
【００５８】
【図１】本発明の第１の実施例に係る記録装置の外観構成を模式的に示す図である。
【図２】本発明の第１の実施例に係る記録装置の他の外観構成を示す図である。
【図３】本発明の第１の実施例に係る記録装置の他の外観構成を示す図である。
【図４】本発明の第１の実施例に係る記録装置の他の外観構成を示す図である。
【図５】本発明の第１の実施例に係る記録装置の他の外観構成を示す図である。
【図６】本発明の第１の実施例に係る記録装置の構成を示すブロック図である。
【図７】本発明の第１の実施例に係る記録装置を用いたデータの書き込み手順を示すフローチャート図である。
【図８】本発明の第１の実施例に係る家電機器用データの作成手順を模式的に示す図である。
【図９】本発明の第１の実施例に係る記録媒体（ＤＶＤ−Ｒ）におけるデータの記録構造を示す図である。
【図１０】本発明の第１の実施例に係る記録媒体におけるデータの記録領域を示す図である。
【図１１】記録媒体（ＣＤ−Ｒ）の構造を模式的に示す図である。
【図１２】本発明の第１の実施例に係る記録装置の表示手段に表示される画面例（画像選択画面）を示す図である。
【図１３】本発明の第１の実施例に係る家電機器の表示手段に表示される画面例（タイトルメニュー画面）を示す図である。
【図１４】本発明の第２の実施例に係る記録装置を用いたデータの書き込み手順を示すフローチャート図である。
【図１５】本発明の第２の実施例に係る家電機器用データの作成手順を模式的に示す図である。
【図１６】本発明の第２の実施例に係る記録媒体（ＤＶＤ−Ｒ）におけるデータの記録構造を示す図である。
【符号の説明】
【００５９】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１１  通信ネットワーク
１２  サーバ
１３  データ読み取り手段
１４  データ生成手段
１５  記録制御手段
１７  コンピュータ機器
１８  家電機器
１９  画像選択画面
２０  一覧表示欄
２１  拡大表示欄
２２  作業メニュー欄
２３  タイトルメニュー画面
１００  ポリカーボネート基板
１０１  有機色素層
１０２  反射層
１０３  保護層
【図１】
2006086803.tif 000003
【図２】
2006086803.tif 000004
【図３】
2006086803.tif 000005
【図４】
2006086803.tif 000006
【図５】
2006086803.tif 000007
【図６】
2006086803.tif 000008
【図７】
2006086803.tif 000009
【図８】
2006086803.tif 000010
【図９】
2006086803.tif 000011
【図１０】
2006086803.tif 000012
【図１１】
2006086803.tif 000013
【図１２】
2006086803.tif 000014
【図１３】
2006086803.tif 000015
【図１４】
2006086803.tif 000016
【図１５】
2006086803.tif 000017
【図１６】
2006086803.tif 000018